(57)【要約】  機能的照明及び／又は雰囲気照明を供給するように構成された照明デバイス１１０を制御するための制御システム１００が開示される。制御システム１００は、ポータブルデバイス１２０を充電するように構成されている無線電力伝送器１３０におけるポータブルデバイス１２０の存在を検出するための、検出器１０２と、ポータブルデバイス１２０の存在が検出された場合に、照明制御コマンド１０８を生成するための、プロセッサ１０４と、照明制御コマンド１０８を照明デバイス１１０に通信するための、通信ユニット１０６とを備える。
2019507486.tif 000002
【特許請求の範囲】
【請求項１】
機能的照明及び／又は雰囲気照明を供給するように構成された照明デバイスを制御するための制御システムであって、
ポータブルデバイスを充電するように構成されている無線電力伝送器における、前記ポータブルデバイスの存在を検出するための検出器と、
前記ポータブルデバイスの前記存在が検出された場合に、照明制御コマンドを生成するためのプロセッサと、
前記照明制御コマンドを前記照明デバイスに通信するための通信ユニットと、を備え、
前記プロセッサが、複数の無線電力伝送器のうちのいずれの無線電力伝送器に、前記ポータブルデバイスが存在しているかを特定するように、及び、それに基づいて前記照明制御コマンドを生成するように、構成されている、制御システム。
【請求項２】
前記プロセッサが、前記ポータブルデバイスのプロパティを特定するように、及び、特定された前記プロパティに基づいて前記照明制御コマンドを生成するように、更に構成されている、請求項１に記載の制御システム。
【請求項３】
前記プロパティが、前記ポータブルデバイスの現在の動作モードに関連するものであり、前記プロセッサが、前記現在の動作モードに基づいて前記照明制御コマンドを生成するように、更に構成されている、請求項２に記載の制御システム。
【請求項４】
前記プロセッサが、前記ポータブルデバイスから、光設定を示す光設定信号を受信するように、及び、前記光設定信号に更に基づいて前記照明制御コマンドを生成するように、更に構成されている、請求項１乃至３のいずれか一項に記載の制御システム。
【請求項５】
前記プロセッサが、第１の無線電力伝送器から第２の無線電力伝送器への、前記ポータブルデバイスの位置変更を特定するように、更に構成されており、前記プロセッサが、前記位置変更に基づいて前記照明制御コマンドを生成するように、更に構成されている、請求項１乃至４のいずれか一項に記載の制御システム。
【請求項６】
機能的照明及び／又は雰囲気照明を供給するように構成された照明デバイスを制御するためのポータブルデバイスであって、前記ポータブルデバイスは、請求項１乃至５のいずれか一項に記載の制御システムを備え、前記検出器が、前記無線電力伝送器から受信される信号に基づいて、前記無線電力伝送器における前記ポータブルデバイスの存在を検出するように構成されている、ポータブルデバイス。
【請求項７】
機能的照明及び／又は雰囲気照明を供給するように構成された照明デバイスを制御するための無線充電システムであって、前記無線充電システムは、
ポータブルデバイスを充電するための無線電力伝送器と、
請求項１乃至５のいずれか一項に記載の制御システムによる、制御システムと、を備える、無線充電システム。
【請求項８】
前記制御システムの前記プロセッサが、前記ポータブルデバイスのタイプを特定するように、及び、前記ポータブルデバイスの前記タイプに基づいて前記照明制御コマンドを生成するように、更に構成されている、請求項７に記載の無線充電システム。
【請求項９】
前記無線充電システムが、複数の無線電力伝送器を備え、前記検出器が、第１の無線電力伝送器における第１のポータブルデバイスの存在を検出するように、及び、第２の無線電力伝送器における第２のポータブルデバイスの存在を検出するように構成されており、前記プロセッサが、前記第１のポータブルデバイスの第１のプロパティを特定するように、及び、前記第２のポータブルデバイスの第２のプロパティを特定するように、並びに、前記第１のプロパティ及び前記第２のプロパティに基づいて前記照明制御コマンドを生成するように、更に構成されている、請求項７又は８に記載の無線充電システム。
【請求項１０】
機能的照明及び／又は雰囲気照明を供給するように構成された照明デバイスを制御する方法であって、前記方法が、
ポータブルデバイスを充電するように構成されている無線電力伝送器における、前記ポータブルデバイスの存在を検出するステップと、
複数の無線電力伝送器のうちのいずれの無線電力伝送器に、前記ポータブルデバイスが存在しているかを特定するステップと、
前記複数の無線電力伝送器のうちのいずれの無線電力伝送器に、前記ポータブルデバイスが存在しているかに基づいて、照明制御コマンドを生成するステップと、
前記照明制御コマンドを前記照明デバイスに通信するステップと、を含む、方法。
【請求項１１】
無線電力伝送器識別子と光設定との関連付けを記憶しているメモリにアクセスするステップと、
特定された前記無線電力伝送器の識別子と、記憶されている前記無線電力伝送器識別子とを比較するステップと、特定された前記識別子と記憶されている前記無線電力伝送器識別子との間で、類似性基準が満たされる場合には、
記憶されている前記無線電力伝送器識別子に関連付けられている光設定に従って、前記照明制御コマンドを生成するステップと、を更に含む、請求項１０に記載の方法。
【請求項１２】
前記ポータブルデバイスのプロパティを特定するステップと、
前記ポータブルデバイスの前記プロパティに基づいて、前記照明制御コマンドを生成するステップと、を更に含む、請求項１０又は１１に記載の方法。
【請求項１３】
コンピューティングデバイス用のコンピュータプログラムであって、前記コンピュータプログラムが前記コンピューティングデバイスの処理ユニット上で実行されるときに、請求項１０乃至１２のいずれか一項に記載の方法を実行する、コンピュータプログラムコード含む、コンピュータプログラム。
【発明の詳細な説明】
【技術分野】
【０００１】
本発明は、機能的照明及び／又は雰囲気照明を供給するように構成された照明デバイスを制御するための制御システムに関する。本発明は、更に、機能的照明及び／又は雰囲気照明を供給するように構成された照明デバイスを制御するためのポータブルデバイスに関する。本発明は、更に、機能的照明及び／又は雰囲気照明を供給するように構成された照明デバイスを制御するための無線充電システムに関する。本発明は、更に、機能的照明及び／又は雰囲気照明を供給するように構成された照明デバイスを制御する方法に関する。本発明は、更に、当該方法を実行するためのコンピュータプログラム製品に関する。
【背景技術】
【０００２】
将来及び現在の家庭環境及び職場環境は、機能的照明及び／又は雰囲気照明を作り出すための、多数の制御可能な照明デバイスを含む。これらの照明デバイスは、スマートデバイス（例えば、スマートフォン又はタブレットｐｃ）のユーザインタフェースを介して、個別に、又はグループとして制御され得るものであり、Ｂｌｕｅｔｏｏｔｈ（登録商標）又はＺｉｇＢｅｅ（登録商標）のような無線通信技術を使用して、スマートデバイスと通信することができる。スマート照明システムでは、照明デバイスは、ユーザの存在に基づいて制御されるものであり、ユーザの存在は、ＰＩＲセンサなどの存在センサによって検出され得るか、又は、ユーザの存在は、（屋内）測位システムから受信される情報に基づいて検出され得る。そのような存在検出システムは、照明システムを自律的に制御するものであり、また、これらのシステムは、典型的には、ユーザが、ユーザのスマートデバイスを介してユーザ入力を提供することによって、更に設定を調節することを可能にするものである。
【０００３】
米国特許出願公開第２０１５０３５７８６２（Ａ１）号は、無線充電フィールドの存在の指標を受信して、無線充電フィールドが存在している間の、デバイスの向きの変化を検出し、検出された変化に基づいてアプリケーションパラメータを制御するための装置に関するものである。アプリケーションパラメータは、家庭での光の輝度を制御することを含み得る。
【発明の概要】
【発明が解決しようとする課題】
【０００４】
本発明の目的は、照明システムの制御のための代替的方法を提供することである。本発明の更なる目的は、ポータブルデバイスを充電するための照明制御システムを提供することである。
【課題を解決するための手段】
【０００５】
本発明の第１の態様によれば、目的は、機能的照明及び／又は雰囲気照明を供給するように構成された照明デバイスを制御するための制御システムであって、当該制御システムは、
−ポータブルデバイスを充電するように構成されている無線電力伝送器におけるポータブルデバイスの存在を検出するための検出器と、
−ポータブルデバイスの存在が検出された場合に、照明制御コマンドを生成するためのプロセッサと、
−照明制御コマンドを照明デバイスに通信するための通信ユニットとを備える、制御システムによって達成される。
【０００６】
本制御システムは、ポータブルデバイスの存在が無線電力伝送器で検出された場合に、照明デバイスの制御を可能にするものである。本制御システムの利点は、ユーザが、スマートフォン、タブレットｐｃ、ポータブル照明デバイスなどの自身のポータブルデバイスを、無線電力伝送器に単に配置することで、照明デバイスが制御されること（例えば、オンにされること、所定の光設定に従って制御されることなど）を可能にする点である。本システムの別の利点は、ユーザに、自身のポータブルデバイスを無線電力伝送器に配置するように、本システムがトリガし、それに伴い、ユーザに、当該ポータブルデバイスのバッテリを充電するようにトリガする点である。
【０００７】
制御システムの一実施形態では、プロセッサは、ポータブルデバイスのプロパティを特定するように、及び、特定されたプロパティに基づいて照明制御コマンドを生成するように、更に構成されている。プロパティは、例えば、ポータブルデバイスの識別子、ポータブルデバイスのタイプなどとすることができる。プロセッサは、特定されたプロパティに基づいて制御コマンドを生成するように構成されているが、このことは、プロパティに基づいて、特定のポータブルデバイスに関していずれのタイプの照明が必要とされるかを、プロセッサが推定することを可能にするので有利である。制御システムの更なる実施形態では、プロパティは、ポータブルデバイスの現在の動作モードに関連するものであり、プロセッサは、現在の動作モードに基づいて照明制御コマンドを生成するように、更に構成されている。動作モードは、例えば、「オン」モード、「動画」モード、「充電」モード、「オフィス」モードなどとすることができる。このことにより、プロセッサは、ポータブルデバイスの動作モードに基づいて照明デバイスを制御することが可能となる（プロセッサは、例えば、ユーザがポータブルデバイス（例えば、タブレットｐｃ）上で動画を見ている場合に、動画光設定に従って、照明デバイスを制御することができる）。
【０００８】
制御システムの一実施形態では、プロセッサは、複数の無線電力伝送器のうちのいずれの無線電力伝送器に、ポータブルデバイスが存在しているかを特定するように、及び、それに基づいて照明制御コマンドを生成するように、構成されている。このことは、ポータブルデバイスの場所（すなわち、いずれの無線電力伝送器にポータブルデバイスが存在しているか）に基づいて、プロセッサが照明デバイスの光設定を決定することを可能にするため、有利である。例えば、ポータブルデバイスが、ディナーテーブルに埋め込まれた無線電力伝送器に配置されている場合には、プロセッサは、「ディナー」光設定に従って照明デバイスを制御することができ、その一方で、ポータブルデバイスが、ソファに埋め込まれた無線電力伝送器に配置されている場合には、プロセッサは、「読書」光設定に従って照明デバイスを制御することができる。
【０００９】
制御システムの一実施形態では、プロセッサは、ポータブルデバイスから、光設定を示す光設定信号を受信するように、及び、光設定信号に更に基づいて照明制御コマンドを生成するように、更に構成されている。光設定、及び、それに伴う光設定信号は、所定の光設定、ユーザ選択光設定などとすることができる。この実施形態の利点は、例えばポータブルデバイスのユーザインタフェースを介して、ユーザが光設定を選択することを可能にする点である。光設定は、ポータブルデバイスの存在が無線電力伝送器で検出された場合に、照明デバイスに通信される。
【００１０】
制御システムの一実施形態では、プロセッサは、第１の無線電力伝送器から第２の無線電力伝送器への、ポータブルデバイスの位置変更を特定するように、更に構成されており、プロセッサは、位置変更に基づいて照明制御コマンドを生成するように、更に構成されている。位置変更は、照明デバイスの光出力を制御するためのユーザ入力を示し得る。位置変更（第１の無線電力伝送器から第２の無線電力伝送器への移動／ジェスチャ）は、例えば、照明デバイスの色の変更を示し得る。このことにより、ユーザは、ポータブルデバイスと（及び、複数の無線電力伝送器と）対話することによって、照明デバイスを制御することが可能となり、このことは、更なる照明制御のオプションをユーザにもたらすので有利である。このことは、専用のユーザ対話デバイスを必要とすることなく、照明デバイスと容易に対話することを可能にするので更に有益である。
【００１１】
本発明の第２の態様によれば、目的は、機能的照明及び／又は雰囲気照明を供給するように構成された照明デバイスを制御するためのポータブルデバイスであって、当該ポータブルデバイスは、上述の実施形態のうちのいずれか１つの制御システムを備え、検出器は、無線電力伝送器から受信される信号に基づいて、無線電力伝送器におけるポータブルデバイスの存在を検出するように構成されている、ポータブルデバイスによって達成される。当該ポータブルデバイスは、制御システムの、検出器、プロセッサ、及び通信ユニットを備え得る。それゆえ、当該ポータブルデバイスは、無線電力伝送器の存在を検出するためのハードウェア（及び、ソフトウェア）を備える。ソフトウェア及びハードウェアをポータブルデバイスに組み込むことは、照明デバイスを制御するための全ての要素が、１つのデバイス（ポータブルデバイス）内に含まれるので有利である。多くの既存のポータブルデバイス（例えば、スマートフォン）は既に、無線の照明制御及び無線電力伝送器の検出を可能にするハードウェア及びソフトウェアを備えている。このことは、スマート無線充電システムの必要性を取り除くものである。更には、このことは、無線充電システムが照明システムと通信するように構成されているか否かに関わりなく、ポータブルデバイスが、種々の無線充電システムに関して、照明システムを制御することを可能にし得る。
【００１２】
本発明の第３の態様によれば、目的は、機能的照明及び／又は雰囲気照明を供給するように構成された照明デバイスを制御するための無線充電システムであって、当該無線充電システムは、
−ポータブルデバイスを充電するための無線電力伝送器と、
−上述の実施形態のうちのいずれか１つの制御システムによる、制御システムとを備える、無線充電システムによって達成される。
【００１３】
当該無線充電システムは、制御システムの、検出器、プロセッサ、及び通信ユニットを備え得る。それゆえ、当該無線充電システムは、ポータブルデバイスの存在を検出するためのハードウェア（及び、ソフトウェア）を備える。ソフトウェア及びハードウェアを無線充電システムに組み込むことは、このことが、ポータブルデバイスが照明システムと通信するように構成されているか否かに関わりなく、無線充電システムが、種々の充電可能ポータブルデバイスに関して、照明システムを制御することを可能にし得るので有利である。
【００１４】
無線充電システムの一実施形態では、制御システムのプロセッサは、ポータブルデバイスのタイプを特定するように、及び、ポータブルデバイスのタイプに基づいて照明制御コマンドを生成するように、更に構成されている。プロセッサは、ポータブルデバイスのタイプに基づいて制御コマンドを生成するように構成されているが、このことは、ポータブルデバイスのタイプに基づいて、特定のポータブルデバイスに対していずれのタイプの照明が必要とされるか（例えば、携帯型ゲーム機は、電子書籍リーダとは異なる光設定を必要とし得る）を、プロセッサが推定することを可能にするので有利である。
【００１５】
無線充電システムの一実施形態では、無線充電システムは、複数の無線電力伝送器を備え、検出器は、第１の無線電力伝送器における第１のポータブルデバイスの存在を検出するように、及び、第２の無線電力伝送器における第２のポータブルデバイスの存在を検出するように、構成されている。プロセッサは、第１のポータブルデバイスの第１のプロパティを特定するように、及び、第２のポータブルデバイスの第２のプロパティを特定するように、並びに、第１のプロパティ及び第２のプロパティに基づいて照明制御コマンドを生成するように、更に構成されている。このことにより、プロセッサは、１つ以上の対象物のタイプに基づいて、１人以上のユーザのソーシャル／ビジネス設定を推定することが可能となる。このことにより、プロセッサは、ソーシャル／ビジネス設定に従ってデバイスを制御することが可能となる（例えば、複数のスマートフォンは、ソーシャル設定を示すことにより、ソーシャル（アンビエント）光設定を要求することができ、ラップトップｐｃ及び無線コンピュータマウスは、オフィス設定を示すことにより、オフィス（機能的）光設定を要求することができる）。
【００１６】
本発明の第４の態様によれば、目的は、機能的照明及び／又は雰囲気照明を供給するように構成された照明デバイスを制御する方法であって、当該方法は、
ポータブルデバイスを充電するように構成されている無線電力伝送器におけるポータブルデバイスの存在を検出するステップと、
ポータブルデバイスの存在が検出された場合に、照明制御コマンドを生成するステップと、
照明制御コマンドを照明デバイスに通信するステップとを含む、方法によって達成される。
【００１７】
本方法の一実施形態では、本方法は、
複数の無線電力伝送器のうちのいずれに、ポータブルデバイスが存在しているかを特定するステップと、
無線電力伝送器識別子と光設定との関連付けを記憶しているメモリにアクセスするステップと、
特定された無線電力伝送器の識別子と、記憶されている無線電力伝送器識別子とを比較するステップと、特定された識別子と記憶されている無線電力伝送器識別子との間で、類似性基準が満たされる場合には、
記憶されている無線電力伝送器識別子に関連付けられている光設定に従って、照明制御コマンドを生成するステップとを、更に含む。
【００１８】
本方法の一実施形態では、本方法は、
ポータブルデバイスのプロパティを特定するステップと、
ポータブルデバイスのプロパティに基づいて、照明制御コマンドを生成するステップとを、更に含む。
【００１９】
本発明の第５の態様によれば、目的は、コンピューティングデバイス用のコンピュータプログラム製品であって、当該コンピュータプログラム製品は、コンピュータプログラム製品がコンピューティングデバイスの処理ユニット上で実行されるときに、上述の方法のうちのいずれか１つの方法を実行する、コンピュータプログラムコードを含む、コンピュータプログラム製品によって達成される。
【００２０】
特許請求される方法及び／又はコンピュータプログラム製品は、特許請求される制御システム、ポータブルデバイス、及び／又は無線充電システムと同様及び／又は同一の、実施形態及び／又は利点を有し得る点を理解されたい。
【図面の簡単な説明】
【００２１】
開示される制御システム、ポータブルデバイス、無線充電システム、及び方法の、上記の目的、特徴、及び利点、並びに、更なる目的、特徴、及び利点は、添付図面を参照して、システム、デバイス、及び方法の以下の例示的かつ非限定的な実施形態の詳細な説明を通じて、より良好に理解されるであろう。
【図１】照明デバイスを制御するための、本発明による制御システムの一実施形態を概略的に示す図である。
【図２ａ】照明デバイスを制御するための、本発明による制御システムの一実施形態を概略的に示す図であり、当該制御システムは、無線充電システム内に含まれている。
【図２ｂ】照明デバイスを制御するための、本発明による制御システムの一実施形態を概略的に示す図であり、当該制御システムは、ポータブルデバイス内に含まれている。
【図３】照明デバイスを制御するための、本発明による制御システムの一実施形態を概略的に示す図であり、当該制御システムは、複数の無線電力伝送器を備える。
【図４】照明デバイスを制御するための、本発明による制御システムの一実施形態を概略的に示す図であり、照明デバイスは、ポータブルデバイスの位置変更に基づいて制御される。
【図５】照明デバイスを制御するための、本発明による制御システムの一実施形態を概略的に示す図であり、当該制御システムは、複数の無線電力伝送器を備え、照明デバイスは、無線電力伝送器に配置されているポータブルデバイスのプロパティに基づいて制御される。
【図６】機能的照明及び／又は雰囲気照明を供給するように構成された照明デバイスを制御する方法のステップを概略的に示す図である。
【００２２】
これらの図は全て、概略的なものであって、必ずしも正しい縮尺ではなく、全般的に、本発明を解明するために必要な部分のみを示すものであり、他の部分は、省略される又は単に示唆されることがある。
【発明を実施するための形態】
【００２３】
図１は、機能的照明及び／又は雰囲気照明を供給するように構成された照明デバイス１１０を制御するための、本発明による制御システム１００の一実施形態を概略的に示す。制御システム１００は、ポータブルデバイス１２０を充電するように構成されている無線電力伝送器１３０におけるポータブルデバイス１２０の存在を検出するための検出器１０２を備える。制御システム１００は、ポータブルデバイス１２０の存在が検出された場合に、照明制御コマンド１０８を生成するための、プロセッサ１００と、照明制御コマンド１０８を照明デバイス１１０に通信するための通信ユニット１０６とを更に備える。
【００２４】
プロセッサ１０４（例えば、マイクロチップ、回路、マイクロコントローラなど）は、ポータブルデバイス１２０の存在が検出された場合に、照明制御コマンド１０８を生成するように構成されている。照明制御コマンド１０８は、照明デバイス１１０に対する制御命令を含み得るものであり、制御命令は、例えば、照明デバイスをオン／オフする命令、及び／又は、光出力（例えば、強度／輝度、色、彩度、色温度など）を変化させる命令を含み得る。
【００２５】
通信ユニット１０６は、照明制御コマンド１０８を、照明デバイス１１０に通信するように構成されている。通信ユニット１０６は、任意の有線通信プロトコル又は無線通信プロトコルを介して照明制御コマンド１０８を送信するためのハードウェアを含み得る。通信ユニット１０６は、例えば、メッセージ、データ、パケットなどを照明デバイス１１０に送信することによって、照明制御コマンド１０８を通信することができる。様々な有線通信プロトコル及び無線通信プロトコルが使用され得るものであり、例としては、限定するものではないが、Ｅｔｈｅｒｎｅｔ（登録商標）、ＤＭＸ、ＤＡＬＩ、ＵＳＢ、Ｂｌｕｅｔｏｏｔｈ（登録商標）、Ｗｉ−Ｆｉ、Ｌｉ−Ｆｉ、３Ｇ、４Ｇ、又はＺｉｇＢｅｅ（登録商標）が挙げられる。照明デバイス１１０の通信能力、（無線）通信技術用の通信ドライバの消費電力、及び／又は、信号の通信範囲に基づいて、特定の通信技術が選択され得る。
【００２６】
制御システム１００は、機能的照明（タスク照明、アクセント照明など）及び／又は雰囲気照明（アンビエント照明など）を供給するように構成された照明デバイス１１０を制御するように構成されている。照明デバイス１１０は、照明制御コマンドを受信するように構成されている、任意のタイプの照明デバイスとすることができる。照明デバイス１１０は、ＬＥＤ光源、白熱光源、蛍光光源、高輝度放電光源などを含み得る。照明デバイス１１０は、照明器具内に、又は照明設備内に設置され得る。諸実施形態では、制御システム１００は、ポータブルデバイス１２０の存在が無線電力伝送器１３０で検出された場合に、複数のそのような照明デバイス１１０を制御するように構成され得る。制御システム１００は、予め規定され、かつ、メモリ内に記憶され得る、光設定又は光シーンに従って、複数の照明デバイス１１０を制御することができ、当該メモリは、プロセッサ１０４によってアクセス可能とすることができる。そのような光設定又は光シーンは、複数の照明デバイスに関する照明制御設定の情報を含み得る（光設定／光シーンは、例えば、第１の照明デバイスを第１の色に設定し、第２の照明デバイスを第２の色に設定する、命令を含み得る）。
【００２７】
制御システム１００は、無線電力伝送器１３０におけるポータブルデバイス１２０の存在を検出するための、検出器１０２を備える。無線電力伝送器１３０は、電磁誘導充電を使用し得る、無線充電システムの一部であり、第１の誘導コイルに電流を印加することによって、無線充電システム内から電磁場が作り出される。ポータブルデバイス１２０は、第１の誘導コイルの近位に存在している場合に電磁場を検出するための第２の誘導コイルを備え、電磁場を電流に再変換して、ポータブルデバイス１２０のバッテリを充電する。
【００２８】
ポータブルデバイス１２０は、無線電力伝送器１３０によって充電されるように構成されている、バッテリを備える。ポータブルデバイス１２０は、バッテリに結合された誘導コイルを備え、当該誘導コイルは、無線電力伝送器１３０によって作り出された電磁場を検出するように構成されている。ポータブルデバイス１２０は、無線電力伝送器１３０によって充電されるように構成されている、任意のタイプのデバイスとすることができる。ポータブルデバイス１２０の例としては、限定するものではないが、スマートフォン、タブレット、時計、ラップトップ、電子書籍リーダ、遠隔制御デバイス、キーボード及びマウスデバイスなどの無線コンピュータ周辺機器、無線照明デバイス、無線スピーカ、キッチン家電、オフィス機器などが挙げられる。
【００２９】
制御システム１００のプロセッサ１０４は、ポータブルデバイスのプロパティを特定するように、及び、特定されたプロパティに基づいて照明制御コマンドを生成するように、更に構成され得る。プロセッサ１０４は、プロパティを示す信号を受信するように構成され得る。プロセッサ１０４が無線電力伝送器１３０内に含まれる（図２ａに示されるような）実施形態では、ポータブルデバイス１２０のプロパティは、例えば、以下で言及される通信方法のうちのいずれかによって、プロセッサ１０４に通信される。プロセッサ１０４がポータブルデバイス１２０内に含まれる（図２ｂに示されるような）代替的実施形態では、プロセッサは、プロパティを記憶しているメモリに直接アクセスすることができる。
【００３０】
プロパティは、例えば、ポータブルデバイスの（現在の）動作モードに関連し得る。現在の動作モードは、例えば、ポータブルデバイス１２０のオン／オフ設定を示し得る。それゆえ、プロセッサ１０４は、ポータブルデバイス１２０がオンにされた場合に、第１の照明制御コマンドを生成することができ（ポータブルデバイス１２０は、例えばタブレットｐｃとすることができ、タブレットｐｃがオンにされた場合に、プロセッサ１０４は、タブレットｐｃのディスプレイと周囲とのコントラストを低下させるように、照明デバイス１１０によって放射される光の強度を増大させる照明制御コマンドを生成することができ）、ポータブルデバイス１２０がオフにされた場合に、第２の照明制御コマンド（例えば、タブレットｐｃがオンにされる前にアクティブであった光設定に従って光を放射するように、照明デバイス１１０を制御する、照明制御コマンド）を生成することができる。更には、又は代替的に、動作モードは、ポータブルデバイス１２０上で実行中であるソフトウェアプログラム（アプリケーション、例えば、音楽アプリケーション、ビデオアプリケーション、オフィスアプリケーション、ソーシャルメディアアプリケーションなど）に関連し得る。例えば、ユーザが、ポータブルデバイス１２０上で動画を見ている場合には、プロセッサ１０４は、動画観賞体験を向上させるように、動画の内容に従って、着色光設定を示す一連の照明制御コマンドを生成することができる。あるいは、テキストエディタソフトウェアプログラムが、ポータブルデバイス１２０上で実行中である場合には、プロセッサ１０４は、照明デバイス１１０を機能的照明設定（例えば、明るい白色光）に設定する、照明制御コマンドを生成することができる。
【００３１】
更には、又は代替的に、プロパティは、例えば、ポータブルデバイス１２０のタイプに関連し得る。プロセッサ１０４は、例えば、ポータブルデバイス１２０が電子書籍リーダデバイスであることを判定する（また更には、特定された動作モードに基づいて、電子書籍リーダがオンにされていることを判定する）ことができ、この情報に基づいて、照明デバイス１１０の光設定を読書設定（例えば、黄色光）に設定する、照明制御コマンドを生成することができる。あるいは、プロセッサ１０４は、ポータブルデバイス１２０がポータブル照明デバイスであることを判定することができ、ポータブル照明デバイスの現在の光設定（現在の光設定は、特定された現在の動作モードとすることができる）を補完するように、照明デバイス１１０に対する照明制御コマンドを生成することができる。
【００３２】
更には、又は代替的に、プロパティは、例えば、ユーザプロファイルに関連し得る。このことにより、プロセッサ１０４は、異なるユーザを区別して、特定されたユーザに基づいて照明制御コマンドを生成することが可能となる。照明制御コマンドは、例えば、特定されたユーザの選好に関連する制御命令を含み得る。例えば、第１のユーザは、無線電力伝送器で第１のポータブルデバイスを充電することができ、その際に、プロセッサ１０４は、メモリから第１の照明選好（例えば、黄色光）を検索して、それに応じた照明制御コマンド（例えば、照明デバイス１２０の光出力を黄色に設定する命令を含む、信号）を生成することができる。第２のユーザは、無線電力伝送器で第２のポータブルデバイスを充電することができ、その際に、プロセッサ１０４は、メモリから第２の照明選好（例えば、白色光）を検索して、それに応じた照明制御コマンド（例えば、照明デバイス１２０の光出力を白色に設定する命令を含む、信号）を生成することができる。
【００３３】
更には、又は代替的に、プロパティは、例えば、ポータブルデバイスの識別子に関連し得る。プロセッサ１０４は、ポータブルデバイスの識別子と光設定との関連付けを記憶するように構成されているメモリにアクセスするように、更に構成され得る。このことにより、プロセッサ１０４は、特定された識別子と、記憶されている識別子とを比較することによって、照明制御コマンドを生成することが可能となり、特定された識別子と記憶されている識別子との間で、類似性基準が満たされる場合には、記憶されている識別子に関連付けられている光設定に従って、照明制御コマンドを生成することが可能となる。同様にして、ポータブルデバイスの識別子は、（例えば、ユーザの年齢、性別、照明選好などに基づいて）照明選好が導出され得る特定のユーザプロファイルと関連付けられ得る。
【００３４】
プロセッサ１０４は、ポータブルデバイス１２０から、光設定を示す光設定信号を受信するように、更に構成され得る。光設定、及び、それに伴う光設定信号は、所定の光設定、ユーザ選好設定、ユーザ選択光設定などとすることができる。プロセッサ１０４は、受信された光設定信号に基づいて照明制御コマンド１０８を生成するように、更に構成されており、その際に、照明制御コマンド１０８は、照明デバイス１１０に通信される。このことにより、ユーザは、例えばポータブルデバイス１２０のユーザインタフェースを介して、光設定を選択することが可能となり、その際に、照明デバイス１２０は、それに応じて制御される。
【００３５】
制御システム１００の検出器１０２は、（例えば、図２ａに示されるように、無線充電システム内の）無線電力伝送器に、（図２ｂに示されるように）ポータブルデバイス１２０内に配置される場合もあり、又は、制御システム１００は、更なるデバイス内に含まれる場合もある。あるいは、制御システム１００の構成要素は、複数のデバイス内に含まれる場合もある。例えば、検出器１０２は、無線電力伝送器１３０内に含まれる場合があり、プロセッサ１０４及び通信ユニット１０６は、ポータブルデバイス１２０内に含まれる場合がある。
【００３６】
検出器１０２は、無線電力伝送器１３０におけるキャパシタンス又は共振の変化に基づいて、ポータブルデバイス１２０の存在を検出するように構成され得る。存在が検出された場合、ポータブルデバイス１２０を特定するように、無線電力伝送器１３０とポータブルデバイス１２０との間のハンドシェイクが行われ得る。そのようなハンドシェイクは、無線電力伝送器１０４による（バースト）電力伝送を含み得るものであり、その際に、ポータブルデバイス１２０の無線電力受信器が起動して、例えば、無線電力伝送器によって察知される負荷を変化させることによって、識別情報及び／又は信号強度状態を提供することで応答する。無線電力伝送器１３０は、有効なポータブルデバイス１２０が特定される場合にのみ、電力を伝送してもよい。特定された後、それに応じてポータブルデバイス１２０が充電され、その存在がプロセッサ１０４に通信される。
【００３７】
更には、ポータブルデバイス１２０は、無線電力伝送器１３０によって察知される負荷を変化させることによって、無線電力伝送器１３０と通信するように、更に構成され得る。この負荷変動は、無線電力伝送器１３０のコイル電流の変化をもたらす結果となり、この変動は、無線電力伝送器１３０のコントローラによって測定及び解釈される。それゆえ、ポータブルデバイス１２０と無線電力伝送器１３０との間に、デジタル通信が確立され得る。それゆえ、様々なタイプの通信パケットが、無線電力伝送器１３０に通信され得る。通信パケットの例としては、限定するものではないが、識別パケット及び認証パケット、エラーパケット（電力／電流の調節に関する要求を示し得るもの）、終了電力パケット（フルバッテリを示すもの）、電力使用量パケット、並びに他のデータパケット（例えば、ポータブルデバイス１２０のタイプ、ポータブルデバイス１２０の識別子、照明制御情報（光設定など）、動作モード情報などに関する情報を含み得るもの）が挙げられる。更には、又は代替的に、無線電力伝送器１３０及びポータブルデバイス１２０は、双方とも、ＮＦＣ、ＺｉｇＢｅｅ（登録商標）、Ｂｌｕｅｔｏｏｔｈ（登録商標）、Ｗｉ−Ｆｉなどの他の無線通信プロトコルを介して通信パケットを通信するための送受信器を含み得る。
【００３８】
図２ａ及び図２ｂは、本発明による制御システムの例示的構成を示す。図２ａは、照明デバイス２１０ａを制御するための、本発明による制御システムの一実施形態を概略的に示すものであり、当該制御システムは、第１の誘導コイル２３２ａ、検出器２０２ａ、プロセッサ２０４ａ、及び通信ユニット２０６ａを備える、無線充電システム２３０ａ内に含まれている。検出器２０２ａは、第１の誘導コイル２３２ａによって伝送される電力２４０ａの量を制御するためのドライバ（図示せず）を更に含む。図２ａは、第２の誘導コイル２２２ａと、電力整流及び電圧調整のためのコントローラ構成２２４ａとを備える、ポータブルデバイス２２０ａを更に示す。コントローラ構成２２４ａは、無線充電システム２３０ａと通信するために、負荷２２６ａを変動させるように更に構成されている（通信についての詳細に関する、前の段落を参照）。このことにより、ポータブルデバイス２２０ａは、無線充電システム２３０ａに情報２５０ａを通信することが可能となる。
【００３９】
プロセッサ２０４ａは、ポータブルデバイス２２０ａのプロパティ（例えば、上述のプロパティのうちの１つ）を特定するように、更に構成され得る。ポータブルデバイス２２０ａは、負荷２２６ａを時間的に変動させることによって、無線充電システム２３０ａにデジタルメッセージ２５０ａを通信することにより、無線充電システム２３０ａにプロパティを通信することができる。あるいは、無線充電システム２３０ａは、ポータブルデバイス２２０ａからの信号２５０ａを（例えば、Ｂｌｕｅｔｏｏｔｈ（登録商標）、Ｗｉ−Ｆｉ、ＺｉｇＢｅｅ（登録商標）、ＮＦＣ、ＲＦなどを介して）受信するための受信器を含み得るものであり、信号は、プロパティについての情報を含む。プロセッサ２０４ａは、特定されたプロパティに基づいて、照明制御コマンド２０８ａを更に生成することができ、その際に、照明制御コマンド２０８ａは、通信ユニット２０６ａによって、照明デバイス２１０ａに通信される。
【００４０】
図２ｂは、照明デバイス２１０ｂを制御するための、本発明による制御システムの一実施形態を概略的に示すものであり、当該制御システムは、第２の誘導コイル２２２ｂ、検出器２０２ｂ、プロセッサ２０４ｂ、及び通信ユニット２０６ｂを備えるポータブルデバイス２２０ｂ内に含まれている。検出器２０２ｂは、ポータブルデバイス２２０ｂのバッテリ（図示せず）を充電するように、更に構成され得る。図２ｂは、第１の誘導コイル２３２ｂと、第１の誘導コイル２３２ｂによって伝送される電力２４０ｂの量を制御するためのドライバ２２４ｂとを備える無線充電システム２３０ｂを更に示す。ドライバ２２４ｂは、第１の誘導コイル２３２ｂによって供給される電流を変動させることによって、ポータブルデバイス２２０ｂと通信するように更に構成され得るものであり（通信についての詳細に関する、前の段落を参照）、電流の変動は、ポータブルデバイス２２０ｂの検出器２０２ｂによって検出され得る。このことにより、無線充電システム２３０ｂは、ポータブルデバイス２２０ｂに情報２５０ｂを通信することが可能となる。
【００４１】
プロセッサ２０４ｂは、無線充電システム２３０ｂのプロパティ（例えば、識別子）を特定するように、更に構成され得る。無線充電システム２３０ｂは、電流を時間的に変動させることによって、ポータブルデバイス２２０ｂにデジタルメッセージ２５０ｂを通信することにより、ポータブルデバイス２２０ｂにプロパティを通信することができる。あるいは、ポータブルデバイス２２０ｂは、無線充電システム２３０ｂからの信号２５０ｂを（例えば、Ｂｌｕｅｔｏｏｔｈ（登録商標）、Ｗｉ−Ｆｉ、ＺｉｇＢｅｅ（登録商標）、ＮＦＣ、ＲＦなどを介して）受信するための受信器を含み得るものであり、信号は、プロパティについての情報を含む。プロセッサ２０４ｂは、特定されたプロパティに基づいて、照明制御コマンド２０８ｂを更に生成することができ、その際に、照明制御コマンド２０８ｂは、通信ユニット２０６ｂによって、照明デバイス２１０ｂに通信される。
【００４２】
制御システム１００のプロセッサ１０４は、複数の無線電力伝送器のうちのいずれの無線電力伝送器に、ポータブルデバイスが存在しているかを特定するように、更に構成され得る。検出器１０２、プロセッサ１０４、及び通信ユニット１０６が無線充電システム内に含まれている（図２ａに示されるような）実施形態では、制御システム１００は、複数の無線電力伝送器のそれぞれに複数の検出器を更に備え得る。このことにより、（１つ以上の）プロセッサ１０４は、複数の無線電力伝送器のうちのいずれの無線電力伝送器に、ポータブルデバイス１２０が存在しているかを判定することが可能となる。検出器１０２、プロセッサ１０４、及び通信ユニット１０６がポータブルデバイス１２０内に含まれている（図２ｂに示されるような）代替的実施形態では、プロセッサ１０４は、複数の無線電力伝送器のうちのいずれの無線電力伝送器に、ポータブルデバイス１２０が存在しているかを判定するように、（例えば、無線電力伝送器から受信される識別子に基づいて）無線電力伝送器を特定するように構成され得る。プロセッサ１０４は、複数の無線電力伝送器のうちのいずれの無線電力伝送器に、ポータブルデバイス１２０が存在しているかに基づいて、照明制御コマンドを生成する。プロセッサ１０４は、例えば、無線電力伝送器識別子と光設定との関連付けを記憶するように構成されているメモリにアクセスするように、及び、特定された無線電力伝送器の識別子と、記憶されている無線電力伝送器識別子とを比較するように、構成され得る。プロセッサ１０４は、特定された識別子と記憶されている無線電力伝送器識別子との間で、類似性基準が満たされる場合には、記憶されている無線識別子に関連付けられている光設定に従って、照明制御コマンドを生成するように、更に構成され得る。このことにより、ユーザは、ポータブルデバイス１２０を、（照明デバイス１１０が、第１の光設定に従って制御される）第１の無線電力伝送器から、（照明デバイス１１０が、第２の光設定に従って制御される）第２の無線電力伝送器に移動させることによって、照明デバイス１１０を制御することが可能となる。
【００４３】
図３は、照明デバイス３１０を制御するための、本発明による制御システム３００の一実施形態を概略的に示し、制御システム３００は、複数の無線電力伝送器３３０、３３２、及び３３４を備える。制御システム３００のプロセッサ（図示せず）は、いずれの無線電力伝送器３３０、３３２、３３４に、ポータブルデバイス３２０が存在しているかを検出するように構成されている。図３の例では、ポータブルデバイス３２０は、最初に、第１の無線電力伝送器３３０に存在している。プロセッサは、この存在に基づいて、照明制御コマンドを生成することができる（例えば、第１の無線電力伝送器３３０は、キッチンに配置されている場合があり、プロセッサは、第１の無線電力伝送器３３０に関連付けられている光設定、例えば「キッチン」光設定に従って、１つ以上の照明デバイスを制御することができる）。ポータブルデバイス３２０が、第１の無線電力伝送器３３０から第２の無線電力伝送器３３２に移動されると、１つ以上の検出器（図示せず）は、第２の無線電力伝送器３３２におけるポータブルデバイス３２０'の存在を検出することができ、その際に、プロセッサは、この存在に基づいて、照明制御コマンドを生成することができる（例えば、第２の無線電力伝送器３３２は、居間に配置されている場合があり、プロセッサは、第２の無線電力伝送器３３２に関連付けられている光設定に従って、１つ以上の照明デバイスを制御することができる）。
【００４４】
プロセッサ１０４は、第１の無線電力伝送器から第２の無線電力伝送器への、ポータブルデバイス１２０の位置変更を特定するように、更に構成され得る。この位置変更は、ユーザ入力として解釈され得る。この実施形態は、表面（テーブルトップなど）が、互いに隣接する複数の無線充電表面を備える場合に、有益であり得る。検出器１０２、プロセッサ１０４、及び通信ユニット１０６が無線充電システム内に含まれている（図２ａに示されるような）実施形態では、制御システム１００は、複数の無線電力伝送器のそれぞれに複数の検出器を更に備え得る。このことにより、（１つ以上の）プロセッサ１０４は、ポータブルデバイス１２０の位置変更（すなわち、複数の無線電力伝送器における、その後のポータブルデバイス１２０の存在）を判定することが可能となる。検出器１０２、プロセッサ１０４、及び通信ユニット１０６がポータブルデバイス１２０内に含まれている（図２ｂに示されるような）代替的実施形態では、プロセッサ１０４は、ポータブルデバイス１２０の位置変更（すなわち、複数の無線電力伝送器における、その後のポータブルデバイス１２０の存在）を判定するように、（例えば、無線電力伝送器から受信される識別子に基づいて）無線電力伝送器を特定するように構成され得る。プロセッサ１０４は、検出された位置変更に基づいて、照明制御コマンドを生成する。プロセッサ１０４は、例えば、無線電力伝送器識別子と光設定との関連付けを記憶するように構成されているメモリにアクセスするように、及び、特定された無線電力伝送器の識別子と、記憶されている無線電力伝送器識別子とを比較するように、構成され得る。プロセッサ１０４は、特定された識別子と記憶されている無線電力伝送器識別子との間で、類似性基準が満たされる場合には、記憶されている無線識別子に関連付けられている光設定に従って、照明制御コマンドを生成するように、更に構成され得る。更には、又は代替的に、プロセッサ１０４は、例えば、ジェスチャと照明制御コマンドとの関連付けを記憶するように構成されているメモリにアクセスするように、及び、検出されたジェスチャと記憶されているジェスチャとを比較するように、構成され得る。ジェスチャは、複数の無線電力伝送器における、ポータブルデバイス１２０の、或る期間にわたる一連の検出によって定義され得る。プロセッサ１０４は、検出されたジェスチャと記憶されているジェスチャとの間で、類似性基準が満たされる場合には、検出されたジェスチャに関連付けられている照明制御コマンドに従って、照明制御コマンドを生成するように、更に構成され得る。このことにより、ユーザは、表面全体にわたってポータブルデバイス１２０を移動させることによって、照明デバイス１１０の光出力を制御するためのユーザ入力を提供することが可能となる。
【００４５】
図４は、照明デバイス４１０を制御するための、本発明による制御システム４００の一実施形態を概略的に示し、照明デバイス４１０は、ポータブルデバイス４２０、４２０'、４２０''の位置変更４０２、４０４、４０６に基づいて制御される。表面４０８は、無線電力伝送器の行列（Ａ１〜Ｄ３）を備える。１つ以上の検出器（例えば、ポータブルデバイス４２０内に、又は、表面４０８内に含まれ得るもの）は、複数の無線電力伝送器（Ａ１〜Ｄ３）全体にわたる、ポータブルデバイス４２０の位置変更を検出することができる。プロセッサ（例えば、ポータブルデバイス４２０内に、又は、表面４０８内に含まれ得るもの）は、第１の無線電力伝送器Ａ１から、第２の無線電力伝送器Ｂ１を介した、第３の無線電力伝送器Ｃ１への、ポータブルデバイス４２０の第１の位置変更４０２を特定することができる。この位置変更４０２は、照明デバイス４１０の光出力の調節、例えば、照明デバイス４１０の輝度の増大に関連する、ユーザ入力を示し得る。プロセッサは、第１の位置変更４０２の後、無線電力伝送器Ｃ１から、無線電力伝送器Ｃ２を介した、無線電力伝送器Ｃ３への、ポータブルデバイス４２０'の第２の位置変更４０４を検出することができる。この位置変更４０４は、照明デバイス４１０の光出力の色の調節に関連する、ユーザ入力を示し得る。プロセッサは、例えば、ポータブルデバイス４２０'が無線電力伝送器Ｃ１に配置されている場合に、照明デバイス４１０が黄色を放射する命令を含む、第１の照明制御コマンドを生成し、ポータブルデバイスが無線電力伝送器Ｃ２に配置されている場合に、照明デバイス４１０が橙色を放射する命令を含む、第２の照明制御コマンドを生成し、ポータブルデバイス４２０''が無線電力伝送器Ｃ３に配置されている場合に、照明デバイス４１０が赤色を放射する命令を含む、第３の照明制御コマンドを生成するように、構成され得る。このことにより、ユーザは、ポータブルデバイス４２０を或る方向に移動させることによって、照明デバイス４１０によって放射される光の強度を制御し、ポータブルデバイスを別の方向に移動させることによって、照明デバイス４１０によって放射される光の色を制御する、ユーザ入力を提供することが可能となる。
【００４６】
別の例では、プロセッサは、位置変更を、照明制御コマンドを示すユーザジェスチャとして解釈するように構成され得る。例えば、図４の例示的実施形態を参照すると、ユーザは、ポータブルデバイス４２０を、無線電力伝送器Ａ１から、無線電力伝送器Ｂ１に、無線電力伝送器Ｂ２に、無線電力伝送器Ａ２に位置変更し、無線電力伝送器Ａ１に戻すことができる（４０６）。１つ以上の検出器（例えば、ポータブルデバイス４２０内に、又は、表面４０８内に含まれ得るもの）は、位置変更４０６を検出することができる。プロセッサ（例えば、ポータブルデバイス４２０内に、又は、表面４０８内に含まれ得るもの）は、照明デバイス４１０の光出力の調節に関連するユーザジェスチャを示し得る、位置変更４０６を特定することができる。時計回りの位置変更４０６は、例えば、照明デバイス１１０をオンにすることを示し得る（その一方で、反時計回りのジェスチャは、照明デバイス１１０をオフにすることを示し得る）。
【００４７】
ポータブルデバイスを位置変更することによって照明（ジェスチャ）制御入力を提供する、上述の例は、単なる例に過ぎず、当業者は、添付の請求項の範囲から逸脱することなく、ポータブルデバイスを位置変更することによって（ジェスチャ）照明制御入力を提供する、多くの代替形態を設計することが可能となる点に留意されたい。
【００４８】
一実施形態では、無線充電システムは、複数の無線電力伝送器を備え得る。制御システム１００の検出器１０２は、第１の無線電力伝送器における第１のポータブルデバイスの存在、及び、第２の無線電力伝送器における第２のポータブルデバイスの存在を検出するように、更に構成され得る。プロセッサ１０４は、第１のポータブルデバイスの第１のプロパティを特定するように、及び、第２のポータブルデバイスの第２のプロパティを特定するように、並びに、第１のプロパティ及び第２のプロパティに基づいて照明制御コマンドを生成するように、更に構成され得る。プロセッサ１０４は、例えば、プロパティ（デバイスのタイプ、動作モードなど）と光設定との関連付けを記憶するように構成されているメモリにアクセスするように構成され得る。プロセッサ１０４は、更に、特定されたプロパティと、記憶されているプロパティとを比較して、特定されたプロパティと記憶されているプロパティとの間で、類似性基準が満たされる場合には、記憶されているプロパティに関連付けられている光設定に従って、照明制御コマンドを生成することができる。
【００４９】
図５は、そのような無線充電システム５００の一例を示し、無線充電システム５００は、複数の無線電力伝送器５３０、５３２、及び５３４を含む表面５０８を備える。無線電力伝送器５３０、５３２、５３４のそれぞれは、ポータブルデバイス５２０、５２２、及び５２４の存在を検出するための検出器（図示せず）を備え得る。プロセッサ（図示せず）は、ポータブルデバイス５２０、５２２、５２４から受信される信号に基づいて、ポータブルデバイス５２０、５２２、及び５２４を特定することができる。プロセッサは、第１のポータブルデバイス５２０がスマートフォンであり、第２のポータブルデバイス５２２がラップトップｐｃであり、第３のポータブルデバイス５２４が無線コンピュータマウスであることを判定することができる。プロセッサは、デバイスのタイプからコンテキスト情報を推定することができ、それに応じて、照明デバイス５１０に対する照明制御コマンドを（例えば、デバイスのタイプと照明制御コマンドとの関連付けを記憶しているメモリにアクセスすることによって）生成することができる。ラップトップ、無線コンピュータマウス、及びスマートフォンの存在は、ユーザが作業中であることを示し得るが、複数のスマートフォンの存在は、ソーシャル設定を示し得る。更には、プロセッサは、ポータブルデバイス５２０、５２２、５２４から受信される信号に基づいて、デバイスがオンにされていることを更に判定することができ、及び／又は、それらの現在の動作モードに関する情報を受信することができる。例えば、ラップトップが、テキスト編集プログラムを実行中である場合には、プロセッサは、それに応じて照明デバイス５１０を制御する（例えば、照明デバイス５１０を機能的白色照明に設定する）照明制御コマンドを生成することができ、その一方で、ラップトップがゲームを実行中である場合には、プロセッサは、異なる（例えば、照明デバイス５１０をアンビエント照明に設定する）照明制御コマンドを生成することができる。
【００５０】
プロセッサ１０４は、無線電力伝送器１３０からポータブルデバイス１２０が取り去られた後に、照明デバイス１１０を制御するように、更に構成され得る。このことは、ポータブルデバイス１２０のプロパティ（例えば、デバイスのタイプ、動作モード、ユーザプロファイルなど）に更に基づき得る。プロセッサ１０４は、例えば、無線電力伝送器１３０からポータブルデバイス１２０が取り去られた後、照明デバイス１１０の光出力が同じ状態を保つように、又は、照明デバイス１１０が（例えば、直ちに、又は、或る期間にわたって次第に減光することによって）オフにされるように、照明デバイス１１０を制御するように構成され得る。更には、又は代替的に、プロセッサ１０４は、無線電力伝送器１３０からポータブルデバイス１２０が取り去られた後、所定の期間にわたって、照明デバイス１１０の光出力が同じ状態を保つように、照明デバイス１１０を制御するように構成され得る。更には、又は代替的に、プロセッサ１０４は、無線電力伝送器１３０からポータブルデバイス１２０が取り去られ、別の無線電力伝送器でポータブルデバイス１２０の存在が検出された後に、照明デバイス１１０をオフにするように構成され得る。更には、又は代替的に、プロセッサ１０４は、無線電力伝送器１３０からポータブルデバイス１２０が取り去られた後、照明制御コマンドを生成して、照明制御コマンドを別の照明デバイスに通信するように構成され得る。ポータブルデバイスは、例えば、車のキーとすることができ、車のキーのセットが取り去られると、プロセッサ１０４は、車内を制御するための照明制御コマンドを生成することができ、この照明制御コマンドを車に通信することができる。
【００５１】
図６は、機能的照明及び／又は雰囲気照明を供給するように構成された照明デバイスを制御する方法６００のステップを概略的に示す。この方法は、
−ポータブルデバイスを充電するように構成されている無線電力伝送器におけるポータブルデバイスの存在を検出するステップ６０２と、
−ポータブルデバイスの存在が検出された場合に、照明制御コマンドを生成するステップ６０４と、
−照明制御コマンドを照明デバイスに通信するステップ６０６とを含む。
【００５２】
方法６００のステップは、制御システム１００のプロセッサ１０４上で動作する、コンピュータプログラムによって実行され得る。
【００５３】
上述の実施形態は、本発明を限定するものではなく、むしろ例示するものであり、当業者は、添付の請求項の範囲から逸脱することなく、多くの代替的実施形態を設計することが可能となる点に留意されたい。
【００５４】
請求項では、括弧内のいかなる参照符号も、特許請求の範囲を限定するものとして解釈されるものではない。動詞「含む（comprise）」及びその活用形の使用は、請求項に記述されたもの以外の要素又はステップが存在することを排除するものではない。要素に先行する不定冠詞「１つの（a）」又は「１つの（an）」は、そのような複数の要素が存在することを排除するものではない。本発明は、いくつかの個別要素を含むハードウェアによって、及び、好適にプログラムされたコンピュータ若しくは処理ユニットによって実装され得る。いくつかの手段を列挙するデバイスの請求項では、これらの手段のうちのいくつかは、１つの同一のハードウェア物品によって具体化され得る。特定の手段が、互いに異なる従属請求項内に列挙されているという単なる事実は、これらの手段の組み合わせが、有利に使用され得ないことを示すものではない。
【００５５】
本発明の態様は、コンピュータによって実行され得る、コンピュータ可読記憶デバイス上に記憶されたコンピュータプログラム命令の集合とすることが可能なコンピュータプログラム製品として実装され得る。本発明の命令は、限定するものではないが、スクリプト、解釈可能プログラム、ダイナミックリンクライブラリ（dynamic link library；ＤＬＬ）、又はＪａｖａ（登録商標）クラスを含めた、任意の解釈可能又は実行可能なコードメカニズムとすることができる。命令は、完全に実行可能なプログラム、部分的に実行可能なプログラムとして、既存のプログラムに対する修正（例えば、アップデート）として、又は、既存のプログラムに関する拡張（例えば、プラグイン）として提供され得る。更には、本発明の処理の一部は、複数のコンピュータ又はプロセッサにわたって分散され得る。
【００５６】
コンピュータプログラム命令を記憶するために好適な記憶媒体としては、限定するものではないが、ＥＰＲＯＭ、ＥＥＰＲＯＭ、及びフラッシュメモリデバイス、内蔵ハードディスクドライブ及び外付けハードディスクドライブなどの磁気ディスク、リムーバブルディスク、並びにＣＤ−ＲＯＭディスクを含めた、全ての形態の不揮発性メモリが挙げられる。コンピュータプログラム製品は、そのような記憶媒体上に分散される場合もあり、あるいは、ＨＴＴＰ、ＦＴＰ、電子メールを通じて、又は、インターネットなどのネットワークに接続されているサーバを通じて、ダウンロードするように提供される場合もある。
【図１】
2019507486.tif 000003
【図２ａ】
2019507486.tif 000004
【図２ｂ】
2019507486.tif 000005
【図３】
2019507486.tif 000006
【図４】
2019507486.tif 000007
【図５】
2019507486.tif 000008
【図６】
2019507486.tif 000009
【国際調査報告】
2019507486.tif 000010
2019507486.tif 000011
2019507486.tif 000012